(57)【要約】【要  約】【課  題】    パレットの間隔保持材を金属パイプ製にするとともに軽量化する。【解決手段】  パレットは、略矩形の合板または板紙製の載置板（１）と、この載置板の下方にフォークリフトの爪（２６）が挿入される空間を確保する断面略矩形の金属パイプ製の間隔保持材（６）と、この間隔保持材に形成される軽目孔（１１）とを備えている。この軽目孔は間隔保持材の側板（６ｂ）の上部または下部の一方に形成され、前記間隔保持材は軸線が略水平に配置されているとともに、前記載置板にクギ（２１）で釘付けされ、かつ、このクギの先端が間隔保持材の高さ方向の中央部に達し、上側の軽目孔よりも下方でかつ下側の軽目孔よりも上方に位置している。【選択図】  図１
2005298004.tif 000002
【特許請求の範囲】
【請求項１】
略矩形の合板または板紙製の載置板と、
この載置板の下方にフォークリフトの爪が挿入される空間を確保する断面略矩形の金属パイプ製の間隔保持材と、
この間隔保持材に形成される軽目孔とを備え、
この軽目孔は間隔保持材の側板の上部または下部の一方に形成され、
前記間隔保持材は軸線が略水平に配置されているとともに、前記載置板にクギで釘付けされ、かつ、このクギの先端が間隔保持材の高さ方向の中央部に達し、上側の軽目孔よりも下方でかつ下側の軽目孔よりも上方に位置していることを特徴とするパレット。
【請求項２】
略矩形の合板または板紙製の載置板と、
この載置板の下方にフォークリフトの爪が挿入される空間を確保する断面略矩形の金属パイプ製の間隔保持材と、
この間隔保持材に形成される軽目孔とを備え、
この軽目孔は間隔保持材の側板の上部および下部の両方に形成され、
前記間隔保持材は軸線が略水平に配置されているとともに、前記載置板にクギで釘付けされ、かつ、このクギの先端が間隔保持材の高さ方向の中央部に達し、上側の軽目孔よりも下方でかつ下側の軽目孔よりも上方に位置していることを特徴とするパレット。
【請求項３】
保護キャップが前記間隔保持材の端部を覆い、かつ、この保護キャップの係合爪が前記軽目孔の縁に係合することを特徴とする請求項１または２記載のパレット。
【請求項４】
保護キャップが前記間隔保持材の端部を覆い、かつ、前記間隔保持材の両端に設けられた保護キャップ間における間隔保持材の上面と載置板の下面との間の隙間に、合板または板紙製の充填用板材が介在していることを特徴とする請求項１，２または３記載のパレット。
【発明の詳細な説明】
【技術分野】
【０００１】
本発明は、上面に貨物が載置されるパレットに関する。
【背景技術】
【０００２】
ところで、アメリカおよび日本などからの中国向け貨物は、害虫の侵入を防止するために、植物検疫され、木材梱包の使用が禁止される可能性が生じている。そして、木材製のパレットを使用する場合には、害虫駆除のために、熱処理をするとともに、熱処理済であることの公的な証明書が必要となる。したがって、熱処理および証明書入手のコスト、手間や時間などがかかることになる。特に、航空貨物などのように、緊急に輸送する際には、時間的にみて対応が不可能となることがある。なお、合板（ベニヤ板）は、害虫が内部にいることがないので、害虫駆除は不要であり、熱処理や、熱処理済の証明書などは必要がない。
【０００３】
そこで、たとえば、特許文献１のパレットでは、図３に図示するように、載置板０１を合板にするとともに、間隔保持材０２を断面略矩形の金属パイプ製にし、載置板０１を間隔保持材０２にクギ０３で釘付けしている。この間隔保持材０２が、フォークリフトの爪０４の挿入される空間を確保している。
【０００４】
しかしながら、間隔保持材を金属パイプ製にすると重量が大きくなる。また、間隔保持材を構成する金属パイプの端部は開口しており、この開口を通って、釘付けされたクギの先端に物などが接触するおそれがある。
【特許文献１】特開２００１−２５３４３４号公報
【発明の開示】
【発明が解決しようとする課題】
【０００５】
解決しようとする問題点は、パレットの間隔保持材を金属パイプ製にすると、重量が大きくなる点である。また、釘付けされた釘付けの先端は金属パイプの内部空間に突出しており、間隔保持材を構成する金属パイプの端部の開口を通って、釘付けされたクギの先端に物などが接触するおそれがある点である。
【課題を解決するための手段】
【０００６】
本発明のパレットは、略矩形の合板または板紙製の載置板（１）と、
この載置板の下方にフォークリフトの爪（２６）が挿入される空間を確保する断面略矩形の金属パイプ製の間隔保持材（６）と、
この間隔保持材に形成される軽目孔（１１）とを備え、
この軽目孔は間隔保持材の側板（６ｂ）の上部または下部の一方に形成され、
前記間隔保持材は軸線が略水平に配置されているとともに、前記載置板にクギ（２１）で釘付けされ、かつ、このクギの先端が間隔保持材の高さ方向の中央部に達し、上側の軽目孔よりも下方でかつ下側の軽目孔よりも上方に位置している。
【０００７】
また、軽目孔が間隔保持材の側板の上部および下部の両方に形成されていることがある。
【０００８】
さらに、保護キャップ（７）が前記間隔保持材の端部を覆い、かつ、この保護キャップの係合爪（１６）が前記軽目孔の縁に係合することがある。
【０００９】
そして、保護キャップが前記間隔保持材の端部を覆い、かつ、前記間隔保持材の両端に設けられた保護キャップ間における間隔保持材の上面と載置板の下面との間の隙間に、合板または板紙製の充填用板材（８）が介在していることがある。
【発明の効果】
【００１０】
本発明によれば、間隔保持材に軽目孔が形成されており、金属パイプ製の間隔保持材を軽量化することができる。しかも、この軽目孔は間隔保持材の側板の上部または下部に形成され、かつ、クギの先端が間隔保持材の高さ方向の中央部に達している。したがって、物などが軽目孔を通って不用意にクギの先端に接触することを極力防止することができる。
【００１１】
また、保護キャップが間隔保持材の端部を覆っているので、物などが間隔保持材の端部開口を通って不用意にクギの先端に接触することを極力防止することができる。しかも、この保護キャップの係合爪が軽目孔の縁に係合しているので、軽目孔を利用して、保護キャップを間隔保持材に簡単かつ堅固に取り付けることができる。
【００１２】
さらに、保護キャップが間隔保持材の両端部を覆うと、両保護キャップ間における間隔保持材と載置板との間に隙間が形成され、振動などによりこの隙間の上下幅が変動しクギの固定が緩むおそれがあるが、この隙間が合板または板紙製の充填用板材で埋められているため、振動などによるクギの固定の緩みを極力防止することができる。
【発明を実施するための最良の形態】
【００１３】
パレットの間隔保持材を金属パイプ製にするとともに軽量化するという目的を、間隔保持材の側板の上部または下部に軽目孔を形成することで実現した。
【実施例１】
【００１４】
次に、本発明におけるパレットの一実施例について説明する。図１は本発明におけるパレットの斜視図である。図２は図１のパレットの要部の説明図で、（ａ）が間隔保持部の組み立て分解側面図、（ｂ）が開口部側から見た保護キャップの図、（ｃ）がパレットの要部側面図である。なお、図２（ａ）において、左側の保護キャップは間隔保持材に取り付けられている状態で、また、右側の保護キャップは間隔保持材に取り付けられる前の状態で図示されている。
【００１５】
貨物などが上面に載置される載置板１は、正方形や長方形などの矩形の平板で、かつ、合板（ベニヤ板）製である。この実施例では、一般に市販されている縦２４４０mm、横１２３０mmの合板を略半分に切断して、載置板１の寸法を縦横１１００mmの正方形としている。そして、載置板１の下面には、四隅、各辺の真ん中および中央部の計９か所に間隔保持部２が配置されている。この各間隔保持部２は、間隔保持材６、この間隔保持材６の両端に取り付けられる保護キャップ７、間隔保持材６の上側に配置される上側充填用板材８、および、間隔保持材６の下側に配置される下側充填用板材９を具備している。
【００１６】
各間隔保持材６は、断面矩形の鋼製パイプを短く切断して形成されており、上板６ａ、左右側板６ｂ，６ｂおよび下板６ｃを具備しているとともに、両端が開口している。この実施例では、市販の断面９０mm×９０mmの鋼製パイプを１００mmの長さに切断して、間隔保持材６を形成している。そして、この間隔保持材６の左右側板６ｂ，６ｂには、上部および下部に円形の軽目孔１１が形成されている。なお、軽目孔１１は全て、側板６ｂ，６ｂに形成され、間隔保持材６の上板６ａおよび下板６ｃには形成されない。
【００１７】
間隔保持材６の両端には各々、保護キャップ７が被さっており、間隔保持材６の端部の開口を塞いでいる。この保護キャップ７は、略矩形の覆い板７ａ、覆い板７ａの上端から略直角に折れ曲がっている上板７ｂ、覆い板７ａの左右端から略直角に折れ曲がっている左右側板７ｃ，７ｃ、および、覆い板７ａの下端から略直角に折れ曲がっている下板７ｄを具備している。左右側板７ｃ，７ｃにはその端部に各々、間隔保持材６の軽目孔１１に係合する係合爪１６が上下一対形成されている。
【００１８】
間隔保持部２の組み立ては、下記の如くして行われる。
間隔保持材６の両端部に保護キャップ７を被せ、保護キャップ７の係合爪１６を間隔保持材６の軽目孔１１の縁に係合させる。そして、両保護キャップ７間における間隔保持材６の上板６ａの上面および間隔保持材６の下板６ｃの下面に、充填用板材８，９が接着剤で貼付される。この充填用板材８，９の厚みは、保護キャップ７の上板７ｂおよび下板７ｄの厚みと略同じになっている。
【００１９】
そして、この様にして組み立てられた各間隔保持部２は、間隔保持材６の軸線が略水平になるようにして載置板１の下側に配置され、この載置板１にスクリュー状のクギ２１で釘付けされる。このクギ２１は上側充填用板材８を貫通する位置で打ち込まれ、その先端は図２（ｃ）に図示するように、間隔保持材６の高さ方向の中央部に達しており、上側の軽目孔１１よりも下方で、かつ、下側の軽目孔１１よりも上方に位置している。そして、前後方向に並んでいる３個の間隔保持部２の下面に、掛け渡された状態で、細長い長方形の底板２２が取り付けられている。この底板２２は、間隔保持部２にスクリュー状のクギ２３で釘付けされるとともに、平板の合板で形成されている。このクギ２３は下側充填用板材９を貫通する位置で打ち込まれ、その先端は図２（ｃ）に図示するように、間隔保持材６の高さ方向の中央部に達しており、上側の軽目孔１１よりも下方で、かつ、下側の軽目孔１１よりも上方に位置している。なお、底板２２は３枚設けられ、左右方向に並設されている。この様にして、間隔保持部２が載置板１と底板２２との間隔を保持して、載置板１と底板２２との間にフォークリフトの爪２６が挿入される空間を確保している。
【００２０】
この様に構成されているパレットの上面には、貨物が載置される。そして、貨物が載置されたパレットをフォークリフトで移動する際には、フォークリフトの爪２６を間隔保持部２間に挿入する。なお、フォークリフトの爪２６は、パレットの左右方向および前後方向から挿入可能である。この様に、間隔保持部２は、フォークリフトの爪２６を間隔保持部２間に挿入できる高さが必要となる。
【００２１】
そして、間隔保持部２の間隔保持材６は、金属パイプ製であり、重量が大きいが、軽目孔１１が形成されており、軽量化することができる。また、軽目孔１１は間隔保持材６の上板６ａおよび下板６ｃには形成されておらず、クギ２１，２３は必ず間隔保持材６の上板６ａまたは下板６ｃに打ち込まれることになる。その結果、クギ２１，２３で載置板１および底板２２を間隔保持部２に確実に固定することができる。
【００２２】
また、金属パイプ製の間隔保持材６の両端部が開口していると、クギ２１，２３の先端に物などが不用意に接触するおそれがあるが、間隔保持材６の端部は保護キャップ７で覆われており、物などがクギ２１，２３の先端に不用意に接触することを防止することができる。
【００２３】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）載置板１は一枚板で構成されているが、複数の部材を結合して構成することも可能である。ただし、切断や組み立てなどの作業効率が向上するので、載置板１は一枚板で構成されていることが好ましい。また、底板２２は複数枚の合板で構成されているが、底板２２を載置板１と同様に大きな一枚板で構成することも可能である。
【００２４】
（２）載置板１や底板２２を、合板ではなく板紙で構成することも可能である。
（３）間隔保持材６は鋼製パイプであるが、金属であれば、他の材質でも可能である。ただし、鋼が好ましい。
【００２５】
（４）前記実施例では、軽目孔１１は間隔保持材６の左右側板６ｂ，６ｂの上部および下部の両者に形成されているが、上部または下部の一方にのみ形成することも可能である。また、軽目孔１１の形状は必ずしも円形である必要はない。ただし、加工が簡単であるとともに、間隔保持材６の中央部に位置するクギの先端が軽目孔１１の開口から極力遠ざかるように、円形であることが好ましい。さらに、軽目孔１１の個数は適宜選択可能であり、たとえば、単数であることも可能である。
【００２６】
（５）パレットの各部材の寸法は適宜選択可能である。
（６）充填用板材８，９の材質は適宜選択可能であるが、合板、板紙または金属であることが好ましく、特に、板紙であることが好ましい。
（７）クギ２１，２３はスクリュー状であることが好ましいが、他の形式でも可能で、たとえば通常のクギでも可能である。
【図面の簡単な説明】
【００２７】
【図１】図１は本発明におけるパレットの斜視図である。
【図２】図２は図１のパレットの要部の説明図で、（ａ）が間隔保持部の組み立て分解側面図、（ｂ）が開口部側から見た保護キャップの図、（ｃ）がパレットの要部側面図である。
【図３】図３は従来のパレットの斜視図である。
【符号の説明】
【００２８】
１  載置板
６  間隔保持材
６ｂ  間隔保持材の側板
７  保護キャップ
８  充填用板材
１１  軽目孔
１６  保護キャップの係合爪
２１  クギ
２６  フォークリフトの爪
【図１】
2005298004.tif 000003
【図２】
2005298004.tif 000004
【図３】
2005298004.tif 000005